(57)【要約】Ｉ２Ｃバス・システム上で特定のＩＣを選択的に切り離すためのシステム、方法、及び、装置を提供する。特定のＩＣを選択的に切り離すことによって、その切り離された特定のＩＣは、Ｉ２Ｃバス・システム用データ転送速度よりも速いデータ転送速度で、互いに、および／または、その他の構成要素と通信を行うことが出来る。スイッチが、あるモードに於いて、切り離すべきＩＣを収容する補助の、或いは、別個のＩ２Ｃ部分を選択的に切り離し、別のモードに於いて、上記補助Ｉ２Ｃ部分がメインＩ２Ｃバス・システム部分の一部となるように動作する。上記スイッチと連携する適切なプルアップ抵抗が、上記切り離されたＩＣを、低速から高速へのスピードアップ変化によって、より速いデータ転送速度で動作させることを支援する。
2004516576.tif 000002
【特許請求の範囲】
【請求項１】
ビデオ信号を処理する装置であって、
メインＩ２Ｃバス部分（３２）を有するＩ２Ｃバスと、
前記メインＩ２Ｃバス部分に接続されたコントローラＩＣ（４２）と、
補助Ｉ２Ｃバス部分（３４）と、
前記メインＩ２Ｃバス部分と前記補助Ｉ２Ｃバス部分との間に配置され、前記コントローラＩＣと通信を行うスイッチ（５０）と、から成り、
前記スイッチが、前記メインＩＣの制御の下で動作して、前記補助Ｉ２Ｃバス部分を前記メインＩ２Ｃバス部分から選択的に切り離す、装置。
【請求項２】
請求項１記載の装置であって、
前記スイッチが、前記コントローラＩＣの制御の下で動作して、スタートアップ状態時の所定期間、前記補助Ｉ２Ｃバス部分を前記メインＩ２Ｃバス部分から切り離す、装置。
【請求項３】
請求項２記載の装置であって、
前記補助Ｉ２Ｃバス部分に接続された複数のＩＣ（５２、５４、５６）を更に含み、
前記補助Ｉ２Ｃバス部分が前記メインＩ２Ｃバス部分から切り離された時、前記複数のＩＣが、前記メインＩ２Ｃバス部分のデータ転送速度より速いデータ転送速度で、互いに通信を行う、装置。
【請求項４】
請求項１記載の装置であって、
前記スイッチが集積回路スイッチから成る、装置。
【請求項５】
請求項１記載の装置であって、
前記スイッチによる前記補助Ｉ２Ｃバス部分の切り離しが、前記スイッチ用の第１のモード（９４）で行われ、
前記スイッチが、前記メインＩＣの制御の下で第２のモード（１００）を呈し、この第２のモードで、前記補助Ｉ２Ｃバス部分が前記メインＩ２Ｃバス部分に接続される、装置。
【請求項６】
請求項１記載の装置であって、
前記スイッチに接続された１対のプルアップ抵抗（１Ｋ）を更に含み、
前記スイッチ（５０）が、前記補助Ｉ２Ｃバス部分を前記メインＩ２Ｃバス部分から選択的に切り離した時、前記プルアップ抵抗によって前記補助Ｉ２Ｃバス部分に増大電流が供給される、装置。
【請求項７】
テレビジョン信号受信機（３０）であって、
メインＩ２Ｃバス（３２）と、
前記メインＩ２Ｃバスと通信を行うコントローラＩＣ（４２）と、
前記メインＩ２Ｃバスに動作的に接続される第１の複数のＩ２Ｃ適合ＩＣ（４４、４６）と、
補助Ｉ２Ｃバス（３４）と、
前記補助Ｉ２Ｃバスに動作的に接続される第２の複数のＩ２Ｃ適合ＩＣ（５２、５４、５６）と、
前記メインＩ２Ｃバスと前記補助Ｉ２Ｃバスとの間に配置され、前記コントローラＩＣと通信を行うスイッチ（５０）と、から成り、
前記スイッチが、前記コントローラＩＣの制御の下で、前記第２の複数のＩ２Ｃ適合ＩＣのスタートアップ状態時に、所定期間、前記補助Ｉ２Ｃバスを、従って、前記第２の複数のＩ２Ｃ適合ＩＣを前記メインＩ２Ｃバスから選択的に切り離す、テレビジョン信号受信機。
【請求項８】
請求項７記載のテレビジョン信号受信機であって、
前記メインＩ２Ｃバス、前記コントローラＩＣ、および、前記第１の複数のＩ２Ｃ適合ＩＣが第１のデータ転送速度で通信を行い、
前記第２の複数のＩ２Ｃ適合ＩＣが、前記メインＩ２Ｃバスから切り離された時、第２のデータ転送速度で通信を行い、また、前記メインＩ２Ｃバスの一部である時、前記第１のデータ転送速度で通信を行う、テレビジョン信号受信機。
【請求項９】
請求項８記載のテレビジョン信号受信機であって、
前記第２のデータ転送速度が前記第１のデータ転送速度よりも高速である、テレビジョン信号受信機。
【請求項１０】
請求項７記載のテレビジョン信号受信機であって、
前記スイッチが集積回路スイッチから成る、テレビジョン信号受信機。
【請求項１１】
請求項７記載のテレビジョン信号受信機であって、
前記スイッチによる前記補助Ｉ２Ｃバスの切り離しが、前記スイッチ用の第１のモード（９４）で行われ、
前記スイッチが、前記マスタＩＣの制御の下で第２のモード（１００）を呈し、この第２のモードで、前記補助Ｉ２Ｃバスが前記メインＩ２Ｃバスの一部になる、テレビジョン信号受信機。
【請求項１２】
請求項７記載のテレビジョン信号受信機であって、
１対のプルアップ抵抗（１Ｋ）を更に含み、
前記スイッチが、前記補助Ｉ２Ｃバスを前記メインＩ２Ｃバスから選択的に切り離した時、前記プルアップ抵抗によって前記補助Ｉ２Ｃバスに増大電流が供給される、テレビジョン信号受信機。
【請求項１３】
Ｉ２Ｃバス・システムの一部を選択的に切り離す方法であって、
メイン・データ・ラインおよびメイン・クロック・ラインを有するメインＩ２Ｃバス部分と、補助データ・ラインおよび補助クロック・ラインを有する補助Ｉ２Ｃバス部分との間に配置されたスイッチであり、前記補助データ・ラインが前記メイン・データ・ラインと通信を行い、且つ、前記補助クロック・ラインが前記メイン・クロック・ラインと通信を行う第１の動作モード（１００）と、前記補助データ・ラインが前記メイン・データ・ラインから切り離され、且つ、前記補助クロック・ラインが前記メイン・クロック・ラインから切り離される第２の動作モード（９４）とを有する前記スイッチに制御信号を供給するステップと、
前記制御信号を用いて、前記スイッチが前記第１の動作モードと前記第２の動作モードの何れかで動作する、ようにするステップと、から成る方法。
【請求項１４】
請求項１３記載の方法であって、更に、
前記スイッチが前記第１の動作モードで動作する場合、所定期間、前記スイッチを前記第１の動作モードに維持するステップと、
前記所定期間終了後に、前記スイッチが前記第２の動作モードで動作する、ようにするステップと、を含む方法。
【請求項１５】
請求項１３記載の方法であって、
前記制御信号を供給する前記ステップが、前記メインＩ２Ｃバス部分と通信を行うマスタＩＣが前記制御信号を生成する、ようにするステップを含む、方法。
【請求項１６】
請求項１５記載の方法であって、
前記マスタＩＣが、前記メインＩ２Ｃバス部分のパワー・アップ時に、前記制御信号を生成する、方法。
【請求項１７】
請求項１５記載の方法であって、更に、
前記補助Ｉ２Ｃバス部分の複数のＩ２Ｃ適合ＩＣが、前記スイッチが前記第１の動作モードにある時、第１のデータ転送速度で、互いに通信を行えるようにし（９６）、前記スイッチが前記第２の動作モードにある時、第２のデータ転送速度で、通信を行えるようにするステップを含む方法。
【請求項１８】
請求項１７記載の方法であって、
前記第１のデータ転送速度が、前記第２のデータ転送速度より高速である、方法。
【請求項１９】
請求項１３記載の方法であって、更に、
前記第２の動作モード期間中に前記補助Ｉ２Ｃバス部分への電流を増大するステップを含む方法。
【請求項２０】
請求項１９記載の方法であって、
前記第２の動作モード期間中に前記補助Ｉ２Ｃバス部分への電流を増大する前記ステップが、前記補助データ・ラインと前記補助クロック・ラインとに適切な抵抗値の抵抗を施すことを含む、方法。
【発明の詳細な説明】
【０００１】
（産業上の利用分野）
この発明は、Ｉ２Ｃバス／プロトコルと、これを利用した集積回路に関し、更に詳しくは、Ｉ２Ｃバス／プロトコルと共に使用される補助回路とその補助回路に関連付けられた集積回路とに関する。
【０００２】
（発明の背景）
集積回路（Ｉｎｔｅｇｒａｔｅｄ  Ｃｉｒｃｕｉｔ：ＩＣ）は、今日の電子機器に広範囲に使用されている。各ＩＣは、一般的に、個々の特定機能を実行するように設計されている。従って、一般的に、近年開発された１つの電子機器が動作するには、多くの相異なるＩＣが必要になる。また、近年開発された１つの電子機器に使用されるこれらのＩＣは、互いに協調動作して、互いにスムーズに連絡を取り合う、即ち、互いにスムーズに通信を行う（データ／情報を受信する、および／または、送信する）必要がある。
【０００３】
１つのＩＣ環境に於ける協調動作および通信には、一般に、他のＩＣからの問合せ信号（ｑｕｅｒｙ  ｓｉｇｎａｌ）に応答して別のＩＣにデータ／情報を送るＩＣ機能、および／または、別のＩＣからデータ／情報を受け取るＩＣ機能が含まれている。これらの機能が実行されるには、一般に、各ＩＣ相互間に通信リンク、即ち、通信チャネルを設ける必要がある。通信リンクを効果的に実現する方法の１つとして、バス構造体を介して各ＩＣを互いに接続する方法がある。バス構造体は、基本的に、電子機器に於ける複数のＩＣに対する１つの共通通信チャネルである。
【０００４】
周知のバス・システム／構造体の１つは、Ｉ２Ｃバス（Ｉｎｔｅｒ  Ｉｎｔｅｇｒａｔｅｄ  Ｃｉｒｃｕｉｔ  ｂｕｓ）（Ｉ２Ｃバスとも表記される）である。このＩ２Ｃバス・システムは、Ｉ２Ｃプロトコルで動作する。即ち、このＩ２Ｃプロトコルによって、複数のＩＣが、共通の構造化バスを介して、相互接続され、相互間で通信を行うことが出来る。Ｉ２Ｃバス・システムは、フィリップス・セミコンダクター社によって、テレビジョン環境内で中央処理装置（ＣＰＵ）と関連周辺ＩＣとを接続する、即ち、ＣＰＵと関連周辺ＩＣとの間で通信を可能にする手段として、開発された。Ｉ２Ｃバス・システムは、家電電子機器に広範囲に使用されている。このため、様々なＩＣが、Ｉ２Ｃ環境で動作するように設計され、また、この様々なＩＣには、Ｉ２Ｃ環境で動作するために必要な構成要素が含まれている。
【０００５】
Ｉ２Ｃバス・システムは、更に具体的に言えば、シリアル・バス・システムである。Ｉ２Ｃバスを実施する際、各ＩＣ（即ち、各種の装置、ドライバ、メモリ、複合機能を有するＩＣ／チップ）等には、固有のアドレスが割り当てられている。Ｉ２Ｃシステム内の個々のＩＣは、別のＩＣに対して、その別のＩＣのアドレスを使用して、データの送受信を行うことが出来る。新しいＩＣを開発した場合、Ｉ２Ｃの保全性（ｉｎｔｅｇｒｉｔｙ）を維持するために、そのＩＣの設計者は、Ｉ２Ｃの許認可を与える法人（即ち、上記フィリップス・セミコンダクター社）に申請して、固有のＩＣアドレスを得る必要がある。これによって、多種多様なアドレス可能な装置／ＩＣが個々に登録されるに従い、Ｉ２Ｃシステムは拡大して行くことが出来る。固有のＩＣアドレスは、ＩＣ内部にハードワイヤ（ｈａｒｄｗｉｒｅ）される、即ち、ＩＣ内部のハードウェアに組み込まれる。上記フィリップス・セミコンダクター社は、これらのアドレス（「スレーブ・アドレス（ｓｌａｖｅ  ａｄｄｒｅｓｓ）」とも呼ばれる）を登録簿（ｒｅｇｉｓｔｒｙ）等に記録することによって、割り当てたアドレスの保全性を保証している。
【０００６】
ところで、Ｉ２Ｃシステムは、一般に、設定されたクロック・スピードで、設定されたプロトコルに従って、データを転送する必要がある。Ｉ２Ｃシステムのメイン・コントローラＩＣは、転送速度、即ち、転送スピード（即ち、クロック・レート、即ち、バス・スピード）を設定する。従って、特定のＩ２Ｃバスに接続されたＩＣの全ては、同じスピード、即ち、同じデータ転送速度で、通信を行う必要がある。しかし、ある特定のＩＣは、ある特定の条件下で、異なるクロック・スピードで通信を行うことが望ましい場合もある。
【０００７】
例えば、ある特定の家電電子機器用ＩＣのパワー・アップＩ２Ｃルーチンは、Ｉ２Ｃシステムの通常状態のメイン・マイクロ（ｍａｉｎ  ｍｉｃｒｏ）によって設定されるＩ２Ｃバス・スピードとは異なる所定データ転送速度で、データをメモリからロードする場合がある。例えば、インディアナ州インディアナポリスのトムソン・コンシューマ・エレクトロニクス社製のある特定のビデオ表示システム用のＬＣＯＳ（Ｌｉｑｕｉｄ  Ｃｒｙｓｔａｌ  Ｏｎ  Ｓｉｌｉｃｏｎ）ディスプレイは、アリゾナ州テンピーのスリーファイブ・システムズ社（Ｔｈｒｅｅ−Ｆｉｖｅ  Ｓｙｓｔｅｍｓ，Ｉｎｃ．）製のＩＣを使用している。このスリーファイブ・システムズ社製のＩＣのハード・コード化されたパワー・アップＩ２Ｃルーチンは、４００ＫＨｚのバス・スピードで、６４Ｋ  ＥＥＰＲＯＭ（メモリ）から３つの特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ）（ＡＳＩＣ）にデータをロードする。所定のＩ２Ｃバス・ブランチ上に在るスリーファイブ・システムズ社製のＩＣを含む多数のＩＣを使用する場合、上記パワー・アップＩ２Ｃルーチンによって要求される速い立ち上がり時間を可能とする適当なプルアップ（ｐｕｌｌ‐ｕｐ）が存在せず、また、Ｉ２Ｃバス上に直列抵抗を使用する場合、Ｉ２Ｃ装置全てが制御ラインを効果的に「ロー（ｌｏｗ）」状態にすることを可能にする適当なプルアップも存在しない。それ故、Ｉ２Ｃシステム内の特定のＩＣが、Ｉ２Ｃシステム内のその他のＩＣとは異なる通信スピードで、通信を行えるようにするバス構成を提供することが望ましい。
【０００８】
（発明の概要）
本発明は、ディジタル・バス・システム内で選択された集積回路を切り離すためのシステム、方法、および、装置である。詳しくは、本発明は、Ｉ２Ｃバス・システムの様々な部分に配置された１つ或いは複数の集積回路を、所定期間、選択的に切り離すためのシステム、方法、および、装置である。更に詳しくは、本発明は、Ｉ２Ｃバス・システムの複数の集積回路を選択的に切り離して、その切り離した集積回路が、Ｉ２Ｃバス・システムのデータ転送速度とは異なるデータ転送速度で通信を行えるようにするためのシステム、方法、および、装置である。選択された複数の集積回路は、切り離されると、Ｉ２Ｃバス・システムの残りの集積回路とは無関係に、互いに通信を行うことが出来る。
【０００９】
本発明は、一実施形態に於いて、Ｉ２Ｃバス・システムの一部を選択的に切り離すための装置である。このシステムには、メインＩ２Ｃバス部分、これと通信を行うメイン・コントローラＩＣ、補助Ｉ２Ｃバス部分、および、メインＩ２Ｃバス部分と補助Ｉ２Ｃバス部分との間に配置され、メイン・コントローラＩＣと通信を行うスイッチが含まれている。このスイッチは、メイン・コントローラＩＣの制御の下で動作して、補助Ｉ２Ｃバス部分をメインＩ２Ｃバス部分から切り離す。また、このスイッチは、補助Ｉ２Ｃバス部分に対するプルアップ（ｐｕｌｌ‐ｕｐ：引上げ）電流の制御も行う。
【００１０】
別の一実施形態では、本発明は、Ｉ２Ｃバス・システムの一部を選択的に切り離すための方法である。この方法は、（ａ）メイン・データ・ラインおよびメイン・クロック・ラインを有するメインＩ２Ｃバス部分と、補助データ・ラインおよび補助クロック・ラインを有する補助Ｉ２Ｃバス部分との間に配置されたスイッチであり、上記補助データ・ラインが上記メイン・データ・ラインと通信を行い、且つ、上記補助クロック・ラインが上記メイン・クロック・ラインと通信を行う第１の動作モードと、上記補助データ・ラインが上記メイン・データ・ラインから切り離され、且つ、上記補助クロック・ラインが上記メイン・クロック・ラインから切り離される第２の動作モードとを有する上記スイッチに制御信号を供給するステップと、（ｂ）この制御信号を利用して、上記スイッチが上記第１の動作モードと上記第２の動作モードの何れかで動作するようにするステップと、を含む方法である。
【００１１】
更に別の一実施形態では、本発明は、テレビジョン信号受信機である。このテレビジョン信号受信機には、メインＩ２Ｃバス部分と、このメインＩ２Ｃバス部分と通信を行うマスタ・コントローラＩＣと、メインＩ２Ｃバス部分と通信を行うＩ２Ｃと適合性（両立性）のある第１の複数のＩＣと、補助Ｉ２Ｃバス部分と、この補助Ｉ２Ｃバス部分と通信を行うＩ２Ｃと適合性（両立性）のある第２の複数のＩＣと、上記メインＩ２Ｃバス部分と上記補助Ｉ２Ｃバス部分との間に配置され、上記マスタ・コントローラＩＣと通信を行うスイッチと、が含まれている。このスイッチは、上記マスタ・コントローラＩＣの制御の下で、上記補助Ｉ２Ｃバス部分を、従って、Ｉ２Ｃと適合性（両立性）のある上記第２の複数のＩＣを上記メインＩ２Ｃバス部分から、所定期間、選択的に切り離す。
【００１２】
本発明は、特定の、或いは、選択されたＩ２Ｃ部分、或いは、Ｉ２Ｃ機器の切り離しを可能にする一方、同時に、低インピーダンスのプルアップ（抵抗）を施す。その結果、増大電流のプルアップ（抵抗）によって、切り離されたＩＣの動作がより速いスピードで行われる。切り離されたＩＣがメインＩ２Ｃバスに再接続されると、上記抵抗は、補助回路から外れる。切り離されたＩＣがデータを読み出している期間、Ｉ２Ｃシステムのメイン・マイクロ（ｍｉｃｒｏ：マイクロプロセッサ、マイクロコンピュータなど）は、Ｉ２Ｃバス上のその他の各ＩＣの環境設定をすることができ、従って、スタートアップ時間を節減できる。
【００１３】
本発明の上述の特徴、その他の特徴、利点、および、それらを実現する態様を、以下、更に詳しく説明する。本発明のより良い理解のため、以下、添付図面に関連して、本発明の各実施形態の例を説明する。
【００１４】
各図面に於いて、対応する参照符号は、対応する部分を示している。
【００１５】
（発明の実施の形態）
図１に示すシステム１０は、複数のＩＣがバス構造体を介して互いに接続されて通信を行うシステムを表している。
【００１６】
詳しくは、システム１０は、Ｉ２Ｃバス／プロトコル・システムである。このＩ２Ｃシステム１０には、Ｉ２Ｃバス１８に接続されて、これと通信を行うコントローラＩＣ１２が含まれている。このコントローラＩＣ１２は、例えば、メインＩＣ、或いは、メイン・マイクロなどとも呼ばれ、Ｉ２Ｃバス１８上のデータ転送の開始を行う。コントローラＩＣ１２は、例えば、マイクロプロセッサ、マイクロコンピュータ、或いは、ＣＰＵ（Ｃｅｎｔｒａｌ  Ｐｒｏｃｅｓｓｉｎｇ  Ｕｎｉｔ）等である。Ｉ２Ｃシステム１０には、更に、複数のスレーブＩＣ２０（下付き添え字有り）が含まれており、これらは、Ｉ２Ｃバス１８を介して他の種々のＩＣに接続されて通信を行う。
【００１７】
Ｉ２Ｃバス１８は、シリアル・クロック（ＳＣＬ）ライン１４とシリアル・データ（ＳＤＡ）ライン１６とから構成されている。ＳＣＬライン１４は、メイン・コントローラＩＣ１２の１つのＩ／Ｏピンと、スレーブＩＣ２０の各々の１つのＩ／Ｏピンとに接続されており、これによりシリアル・クロック信号が各スレーブＩＣ２０に供給される。ＳＤＡライン１６は、メイン・コントローラＩＣ１２のもう１つ別のＩ／Ｏピンと、スレーブＩＣ２０の各々のもう１つ別のＩ／Ｏピンとに接続されており、これによりデータ転送、および、一般的な通信が行われる。各ＩＣ相互間のデータ転送は、ある所定データ転送速度（５０ＫＨｚ）で行われる。
【００１８】
ＳＣＬライン１４は、双方向ラインではあるが、メイン・コントローラＩＣ１２がシステム・クロックを制御／生成するので、クロック信号ライン上のデータの流れを示す一方向だけの矢印で示されている。ＳＤＡライン１６は、双方向ラインであり、従って、シリアル・データ・ライン上のデータの流れを示す両方向の矢印で示されている。スレーブＩＣ２０の各々は、メイン・コントローラＩＣ１２からプロトコル・コマンドを受信して適切に応答する動作を行う。
【００１９】
この複数のスレーブＩＣ２０と通信を行うために、および、この複数のスレーブＩＣ２０相互間で通信を行うために、スレーブＩＣ２０の各々には、固有のアドレスが割り当てられている。この固有アドレスは、各スレーブＩＣ２０内にハードワイヤされており、一般的に、Ｉ２Ｃバス・インタフェース・セクション内にハードワイヤされている。各スレーブＩＣ２０の内部アドレスは、このように固定されている。各スレーブＩＣ２０の中には、固定アドレスを１つだけ持つものと複数持つものとがある。固定アドレスを複数持つ場合、一般に、その少なくとも一部の理由は、そのスレーブＩＣの各々が内部に複数のＩ２Ｃバス・インタフェース・セクションを有し、そのセクションの各々が、既に割り当てられたＩ２Ｃアドレスを持っている為である。
【００２０】
また、各スレーブＩＣ２０は、設定されたＩ２Ｃデータ転送速度、一般に、５０ＫＨｚでメイン・コントローラＩＣ１２と通信を行う。また、メイン・コントローラＩＣ１２と各スレーブＩＣ２０は、一般に、標準Ｉ２Ｃプロトコルに従うスタートアップ・ルーチンを有する。
【００２１】
要約すれば、Ｉ２Ｃシステムは、任意の２つのＩＣが任意の時点でバス１８を介して互いに通信を行うことが出来る２配線双方向バス・システムである。メイン・コントローラＩＣ１２は、「マスタ」動作モードで機能し、バス１８上のデータ転送を開始し、そのデータ転送を可能にするクロック信号を生成する。各スレーブＩＣ２０は、「スレーブ」動作モードで機能し、この時、メイン・コントローラＩＣ１２によって制御され、或いは、このメイン・コントローラＩＣ１２から情報を受け取る。それによって、特定のスレーブＩＣ２０がデータを送信するように、或いは、データを受信するように指示される。ＳＣＬライン１４は、クロック信号をＩ２Ｃバス１８を介してメイン・コントローラＩＣ１２から各スレーブＩＣ２０に伝える。メイン・コントローラＩＣ１２の各々（複数のメイン・コントローラＩＣを設けることが可能）は、データをバス１８を介して転送する時、それ独自のクロック信号を生成する。Ｉ２Ｃバス１８の第２の双方向の配線、即ち、シリアル・データ（ＳＤＡ）ライン１６は、８ビットのシリアル・トランザクション（ｓｅｒｉａｌ  ｔｒａｎｓａｃｔｉｏｎ）を使用して、データを転送する。また、第９のビットが、一般に、受領通知ビットとして利用される。
【００２２】
ＳＣＬライン１４とＳＤＡライン１６の両方が「ハイ（ＨＩＧＨ）」、即ち、論理「１」に保持された時、ＩＣ相互間のデータ転送は行えない。ＳＤＡライン１６が「ハイ」から「ロー（ＬＯＷ）」（論理「０」）に変化し、ＳＣＬライン１４が「ハイ」である場合が、データ・ビットを交換するためのスタート条件となる。ＳＤＡライン１６が逆に「ロー」から「ハイ」に変化し、ＳＣＬライン１４が「ハイ」である場合は、ストップ条件となる。メイン・コントローラＩＣ１２は、ＳＤＡライン１６を介して転送されるデータ・ビットの各々に対して１つのクロック・パルスを生成し、ＳＤＡライン１６の「ハイ」或いは「ロー」の状態変化は、ＳＣＬライン１４上のクロック信号が「ロー」の状態に在る時のみ、生じる。
【００２３】
尚、図１のシステム１０は、本発明が利用できる環境／適用の一例にすぎない。好ましくは、本発明は、Ｉ２Ｃプロトコル／バス構造体／システムを利用したＩＣの任意のシステムに適用および使用される。しかし、本発明は、その他の類似したプロトコル／バス構造体／システムにも使用できる。本発明が利用されるＩＣおよびＩＣシステムのタイプは、多くの形態を取ることができ、および／または、多くの機能を実行することが出来る。図１に例として示したシステム１０は、例えば、テレビジョン信号処理装置の処理回路の一部に有利になり得る。
【００２４】
図２は、Ｉ２Ｃシステム１０と本発明とを使用することのできる機器の一例を表すブロック図である。図２は、家電電子機器３０を示しているが、この家電電子機器３０は、上述のＩ２Ｃシステムのようなディジタル・バス・プロトコル・システムを利用したテレビジョン信号受信機／プロセッサ、セット・トップ・ボックス、衛星放送受信機、或いは、その他の任意のタイプの家電電子機器である。
【００２５】
家電電子機器３０には、図１を参照して一般的な説明をしたメインＩ２ＣバスおよびＩ２Ｃ構成要素とその他のＩ２Ｃ構成要素（これら全体の参照番号を３２とする）が含まれている。本発明の一実施形態に従えば、家電電子機器３０には、補助回路内に、或いは、補助回路／ロジック（ｌｏｇｉｃ：論理）内に補助ＩＣ（これら全体の参照番号を３４とする）が含まれている。補助ＩＣ３４は、望ましくは、Ｉ２Ｃ適合（両立）型である。補助ＩＣ３４は、スイッチ、或いは、スイッチ回路／ロジック（ｌｏｇｉｃ：論理）等３６（以下、集合的にスイッチ３６と呼ぶ）を介して、メインＩ２ＣバスおよびＩ２Ｃ構成要素３２に接続されてこれと通信を行う。スイッチ３６は、あるモードで、選択的に補助ＩＣをメインＩ２Ｃシステムに接続し、別のモードでは、選択的に補助ＩＣをメインＩ２Ｃシステムから切り離す。
【００２６】
更に詳しく説明すると、補助ＩＣ３４は、メインＩ２ＣバスおよびＩ２Ｃ構成要素のバス速度（即ち、データ転送速度）よりも速いデータ転送速度（即ち、高データ転送速度）で通信を行う。従って、補助ＩＣ３４が、メインＩ２Ｃシステムのデータ転送速度ではなく高データ転送速度で通信を行う、或いは、ある動作または機能を実行する必要がある時、或いは、１つの補助ＩＣまたは複数の補助ＩＣが補助システムの回路／ロジック３４内で通信を行う、或いは、ある動作または機能を実行する時、スイッチ３６は補助ＩＣ３４をメインＩ２Ｃバス／システム３２から切り離す、即ち、接続解除する。
【００２７】
本発明に従えば、家電電子機器３０は、複数のモードのうちの１つで動作する。第１の状態、即ち、第１のモードで、スイッチ３６は、補助ＩＣ３４をメインＩ２Ｃバスから切り離す。この切り離しによって、補助ＩＣは、互いに通信を行うことができ、また、補助回路／ロジック（論理）３４に関連したその他の任意の機器と通信を行うことが出来る。第２の状態、即ち、第２のモードで、スイッチ３６は、補助ＩＣ／回路３４をメインＩ２Ｃバス／システム３２に接続し、これによって、補助ＩＣは、標準Ｉ２Ｃプロトコルを介してメインＩ２Ｃバスに接続されたＩＣに接続されてこれと通信を行うことが出来る。
【００２８】
図３には、本発明の原理を実現するシステムの実施形態の一例が示されている。システム４０は、望ましくは、例えば図２の家電電子機器３０のような家電電子機器内に設けられる。このシステム４０には、メインＩ２Ｃバス／システム３２、スイッチ回路／ロジック（論理）３６、および、補助ＩＣ／回路／ロジック（論理）３４が含まれている。
【００２９】
メインＩ２Ｃバス／システム３２には、クロック・ラインとデータ・ラインとに接続されたメイン・マイクロ（マイクロコンピュータ、マイクロプロセッサ）４２が含まれている。更に、メインＩ２Ｃバス／システム３２には、クロック・ラインとデータ・ラインとに接続されたその他のＩＣ４４と、同様にクロック・ラインとデータ・ラインとに接続されたその他のＩ２Ｃバス／ブランチ等４６と、同様にクロック・ラインとデータ・ラインとに接続されたその他のＩ２Ｃ機器４８とが含まれている。
【００３０】
システム４０では、メインＩ２Ｃシステム３２の各ＩＣおよびその他の構成要素が、標準Ｉ２Ｃプロトコルに従う動作、および／または、機能を実行する。また、システム４０には、３つの補助ＩＣ、即ち、補助ＩＣ５２（ＭＤＤ  Ｌｉｔｅ  Ｒｅｄ）、補助ＩＣ５４（ＭＤＤ  Ｌｉｔｅ  Ｇｒｅｅｎ）、および、補助ＩＣ５６（ＭＤＤ  Ｌｉｔｅ  Ｂｌｕｅ）を有する補助ＩＣ／回路３４が含まれている。補助ＩＣ５２、５４および５６は、ＬＣＯＳ（Ｌｉｑｕｉｄ  Ｃｒｙｓｔａｌ  Ｏｎ  Ｓｉｌｉｃｏｎ：液晶オン・シリコン）ディスプレイ上にビデオ画像を生成するための駆動信号を供給する。これに関連して、補助ＩＣ５２、５４および５６には、画像装置の各ピクセル用の適正光出力を生成するためのルックアップ・テーブルが含まれている。各液晶オン・シリコン装置は、画像装置に於いて「ばらつき（ｖａｒｉａｔｉｏｎ）」を生じることがあり、従って、対応するＥＥＰＲＯＭ内の各ルックアップ・テーブルは、若干異なる値を含む必要がある。その必要な値は、例えば、色温度、画像装置の許容誤差、光学的許容誤差等に基づいて、決定される場合もあり、また、各液晶オン・シリコン装置の製造時に決定する必要がある場合もある。この決定された値は、その後、ＥＥＰＲＯＭにロードされ、その後、スタートアップ時にＥＥＰＲＯＭから対応する補助ＩＣにロードされる。
【００３１】
補助システム３４には、また、この実施形態で６４Ｋ  ＥＥＰＲＯＭとして示したメモリ５８が含まれている。補助システム３４は、各補助ＩＣおよびメモリに接続されたクロック・ラインとデータ・ラインを有することによりＩ２Ｃに適合可能となっている。メモリ５８には、上述の命令／データが予めロードされており、これらの命令／データは、標準Ｉ２Ｃデータ転送速度（スピード）を超えたデータ転送速度で、補助ＩＣ５２、５４および５６にロードされる。このデータ転送は、メインＩ２Ｃシステム３２上の各ＩＣ相互間の動作が始まる前に、完了する必要がある。
【００３２】
システム４０には、また、例えばＣＤ４０５３ＣＭＯＳスイッチであるスイッチ５０と、メインＩＣ４２からこのスイッチ５０に接続する制御ラインと、１対の抵抗（この実施形態では、各１Ｋオームの抵抗）とを有するスイッチ／スイッチ回路／ロジック（論理）３６が含まれている。これらの１Ｋオームの抵抗（プルアップ）によって、回路電流が増大し、「ロー」状態から「ハイ」状態への変化が迅速に行われる。これは、高転送速度モード時に補助ＩＣが適切に機能するために必要である。
【００３３】
制御ラインを介するメイン・マイクロ４２の制御の下で、スイッチ５０は、補助ＩＣ５２、５４、５６およびメモリ５８の切り離しを行う。この切り離しは、補助システム３４のクロック・ラインとデータ・ラインを個別の抵抗／プルアップに接続する（補助回路３４のクロック・ラインとデータ・ラインを、内部スイッチを介して、第１の位置、スタートアップ位置、第１のモード、或いは、スタートアップ・モードに於ける「０」の位置に接続する）ことによって行われる。また、スイッチ５０は、メイン・マイクロ４２の制御の下で、補助回路３４の「切り離し解除（ｄｅ−ｉｓｏｌａｔｅ）」を行う。即ち、スイッチ５０は、補助回路３４のクロック・ラインをメインＩ２Ｃ回路３２のクロック・ラインに接続し、且つ、補助回路３４のデータ・ラインをメインＩ２Ｃ回路３２のデータ・ラインに接続する。（これらの接続は、補助回路３４のクロック・ラインとデータ・ラインを、内部スイッチを介して、第２の位置、動作位置、第２のモード、或いは、動作モードに於ける「１」の位置に接続することにより行われる。）この切り離し解除モードで、上記クロック・ラインとデータ・ラインは、それぞれ対応する抵抗（各１０Ｋオーム）を介して、電圧源（図示では＋３．３ボルト）に接続される。
【００３４】
スタートアップ時、即ち、パワー・アップ時に、メイン・マイクロ４２は、制御信号（論理「０」）をスイッチ５０に送る。これによって、補助回路３４のクロック・ラインおよびデータ・ラインは、「ロー」から「ハイ」の変化時に、それぞれ対応する１Ｋオーム抵抗を介して電圧源（＋３．３ボルト）にプルアップされる。１Ｋオームの抵抗、即ち、プルアップは、補助回路３４のデータ転送速度の高速化をサポートするのに十分な電流の供給に寄与する。この時、補助ＩＣ５２、５４および５６は、例えば４００ＫＨｚの高データ転送速度でメモリ５８からデータを順次ロードすることができる。この実施形態の液晶オン・シリコン・システムでは、補助ＩＣ５２、５４および５６の各々は、ＥＥＰＲＯＭ５８からデータを順次ロードする。即ち、リセット信号がメイン・マイクロ４２から受信されると、各補助ＩＣのうちの指定された１つが、必要速度、即ち、４００ＫＨｚの、ＥＥＰＲＯＭ５８からのデータ転送を始める。この期間中、指定された補助ＩＣは、マスタＩＣとして動作し、必要なクロック信号を生成する。所定期間後、指定された補助ＩＣへのデータ転送が完了すると、各補助ＩＣのうちの次の１つが、ＥＥＰＲＯＭ５８からのデータ転送を始める。各補助ＩＣのデータ転送の順番は、各ＩＣにハードワイヤされている。いずれにしても、各補助ＩＣは、必要なデータ全てをＥＥＰＲＯＭ５８から転送するのに十分な期間、マスタＩＣとして機能する。このデータ転送について十分な時間が過ぎると、スイッチ５０は、制御信号（論理「１」）を受信し、この制御信号によって、補助回路３４のクロック・ラインとデータ・ラインをメインＩ２Ｃ回路３２に接続する。
【００３５】
図４は、図３のＩ２Ｃシステム４０の種々の信号およびそれら信号のタイミング関係を示す図である。詳しくは、Ｉ２Ｃシステム４０用のパワー（ｐｏｗｅｒ：電力）信号６０と、補助ＩＣ（５２、５４、５６）用のリセット信号６２と、メイン・マイクロ／ＩＣ４２からのスイッチ５０用の制御信号６４と、補助Ｉ２Ｃバス信号６６と、メイン・マイクロ信号６８とが示されている。リセット信号６２には、スリーファイブ・システムズ（Ｔｈｒｅｅ‐Ｆｉｖｅ  Ｓｙｓｔｅｍｓ）社製のＭＤＤ  ＩＣを使用した図３の実施形態の一例に対応する「ＭＤＤリセット」の符号を付している。
【００３６】
ある時点で、パワー信号６０は、「ロー」（論理「０」）状態、即ち、オフ（ＯＦＦ）状態から参照番号７０で示す「ハイ」（論理「１」）状態、即ち、オン（ＯＮ）状態に変化する。このパワー・オンのコマンドに続いて、メイン・マイクロ４２からのリセット・ライン上のリセット信号６２は、時点７２で、「ロー」状態から「ハイ」状態になる。メイン・マイクロ４２からの制御ライン上の制御信号６４は、「ロー」状態のままである。これは、補助ＩＣが４００ＫＨｚでデータを転送するための適切な動作条件を示している。即ち、時点７８に於ける補助バス信号６６を参照すれば判るように、この時点で、補助ＩＣ５２、５４および５６は、速い方の速度でメモリ５８と通信することができる。
【００３７】
この間、メイン・バス信号６８によって、メインＩ２Ｃバス上の残りのＩＣは、遅い方のＩ２Ｃ速度に設定される（信号部分８２）。５００ミリ秒の待ち時間７４の後、メイン・スイッチ５０は、補助ＩＣ５２、５４および５６をメインＩ２Ｃバスに接続し、これによって、メイン・マイクロ４２は、このバスに接続されたＩＣ全てと通信可能になる。図４の種々の信号のタイミング関係は、それら種々の信号のバス切り離し部分と、それら種々の信号のバス共通部分を示している。バス切り離し部分は、補助回路３４がメインＩ２Ｃ回路３２から切り離されて、データ転送が、補助ＩＣ相互間に於いて、速い方の速度で行われる期間に対応している。バス共通部分は、補助回路３４のメインＩ２Ｃバスからの切り離しが解除されている期間に対応している。
【００３８】
図５には、本発明の動作の態様の一例を説明するフローチャート９０が示されている。ステップ９２のパワー・アップ、即ち、パワー・オン（電源オン）に於いて、信号６０が生成されてＩ２Ｃシステム４０に供給される（図４の信号６０の時点７０）。その後直ぐ、ステップ９４に於いて、選択ＩＣがメインＩ２Ｃバスから切り離される。この場合、この切り離しは、メインＩ２Ｃバス・システムと補助Ｉ２Ｃバス・システムとの間に接続されたスイッチの動作によって行われる。この切り離しに続いて、メイン・マイクロ４２は、補助ＩＣ５２、５４および５６に接続されたリセット・ライン上に、「ロー」から「ハイ」に変わるリセット信号６２を供給する。リセット信号６２の「ロー」から「ハイ」への変化時点７２で、各補助ＩＣは、メモリ５８と、および／または、互いに通信を行う（図４の補助／切り離しＩ２Ｃバス信号６６の信号部分７８参照）。従って、ステップ９６に於いて、切り離された各ＩＣは、前述したように、順次、必要な速度で、必要に応じて、環境設定される。同時に、メイン・マイクロ４２は、制御信号６４を「ロー」に維持し、これによって、スイッチ５０は、補助／切り離しＩ２Ｃバスのクロック・ラインとデータ・ラインを、各１Ｋオームのプルアップ抵抗を介して、電圧源に接続する。前述のように、各１Ｋオームのプルアップ抵抗は、補助回路３４用の高データ転送速度（速い方のデータ転送速度）をサポートするために必要な電流を補助回路３４に供給する。
【００３９】
ステップ９８に於いて、メインＩ２Ｃバスの各ＩＣとそれらに関連するＩ２Ｃ構成要素は、マイクロＩ２Ｃ信号６８の部分８２によって表されるように、同時に環境設定される。各補助ＩＣの通信／環境設定が完了するのに要する所定期間（ここでは、５００ミリ秒）後、制御信号６４は、時点７６（図４参照）で「ロー」から「ハイ」になり、選択されたＩＣは、ステップ１００に於いて、切り離し解除になる。従って、スイッチ５０は、補助Ｉ２Ｃ回路／バス／部分３４のクロック・ラインとデータ・ラインを、メインＩ２Ｃバスのクロック・ラインとデータ・ラインに、それぞれ、接続する。この時点で、回路は、補助回路３４が切り離される「バス切り離し」モードから、補助回路３４がメインＩ２Ｃバス部分３２の一部になる「バス共通」モードに変わる。従って、補助Ｉ２Ｃバス信号６６とメインＩ２Ｃバス信号６８は、それぞれ、５０ＫＨｚの信号部分８０と８４に於ける通信を示す。
【００４０】
本発明を望ましい構成を有するものとして説明したが、ここに開示した事項の精神および適応の範囲内で、この発明を更に変更することが出来る。従って、この出願は、この発明の一般原理を使用した、この発明の変更、用途、適用の如何なるものをも包含するものである。更に、この出願は、この発明が属する技術分野に於ける周知事項、或いは、慣用事項の範囲内にあり、本願特許請求の範囲内にある、ここに開示した事項の発展形態をも含むものである。
【図面の簡単な説明】
【図１】
Ｉ２Ｃバス／プロトコルを介して互いに通信を行う複数のＩＣから成るシステムの一例を示す図である。
【図２】
本発明を実施するのに適した装置を表したブロック図である。
【図３】
本発明の原理に従う回路の一例を示す図である。
【図４】
図３の回路の種々の信号用のタイミング・チャートを示す図である。
【図５】
本発明のシステムの一例によって実行される各ステップのフローチャートを示す図である。
【図１】
2004516576.tif 000003
【図２】
2004516576.tif 000004
【図３】
2004516576.tif 000005
【図４】
2004516576.tif 000006
【図５】
2004516576.tif 000007
【国際公開パンフレット】
2004516576.tif 000008
2004516576.tif 000009
2004516576.tif 000010
2004516576.tif 000011
2004516576.tif 000012
2004516576.tif 000013
2004516576.tif 000014
2004516576.tif 000015
2004516576.tif 000016
2004516576.tif 000017
2004516576.tif 000018
2004516576.tif 000019
2004516576.tif 000020
2004516576.tif 000021
2004516576.tif 000022
2004516576.tif 000023
2004516576.tif 000024
2004516576.tif 000025
2004516576.tif 000026
2004516576.tif 000027
2004516576.tif 000028
2004516576.tif 000029
【国際公開パンフレット（コレクトバージョン）】
2004516576.tif 000030
2004516576.tif 000031
【手続補正書】
【提出日】平成15年4月9日(2003.4.9)
【手続補正１】
【補正対象書類名】明細書
【補正対象項目名】特許請求の範囲
【補正方法】変更
【補正の内容】
【特許請求の範囲】
【請求項１】
ビデオ信号を処理する装置であって、
メインＩ２Ｃバス部分を有するＩ２Ｃバスと、
前記メインＩ２Ｃバス部分に接続されたコントローラＩＣと、
複数の補助ＩＣが接続された補助Ｉ２Ｃバス部分と、
前記メインＩ２Ｃバス部分と前記補助Ｉ２Ｃバス部分との間に配置され、前記コントローラＩＣと通信を行うスイッチと、から成り、
前記スイッチが、前記装置の第１の動作モード期間中、前記コントローラＩＣの制御の下で動作して、前記補助Ｉ２Ｃバス部分を前記メインＩ２Ｃバス部分から選択的に切り離し、前記補助ＩＣが、前記補助Ｉ２Ｃバス部分を介して、第１のデータ転送速度で互いに通信を行い、
前記スイッチが、前記装置の第２の動作モード期間中、前記コントローラＩＣの制御の下で動作して、前記補助Ｉ２Ｃバス部分を前記メインＩ２Ｃバス部分に選択的に接続し、前記補助ＩＣが、前記補助Ｉ２Ｃバス部分と前記メインＩ２Ｃバス部分とを介して、前記第１のデータ転送速度とは異なる第２のデータ転送速度で前記コントローラＩＣと通信を行う、装置。
【請求項２】
請求項１記載の装置であって、
前記第１の動作モードが前記装置のスタートアップ・モードに対応し、前記スイッチが、前記コントローラＩＣの制御の下で動作して、前記スタートアップ・モード時に、所定期間、前記補助Ｉ２Ｃバス部分を前記メインＩ２Ｃバス部分から切り離す、装置。
【請求項３】
請求項２記載の装置であって、
前記第１のデータ転送速度が、前記第２のデータ転送速度より高速である、装置。
【請求項４】
請求項１記載の装置であって、
前記スイッチが集積回路スイッチから成る、装置。
【請求項５】
請求項１記載の装置であって、
前記スイッチに接続された１対のプルアップ抵抗を更に含み、
前記スイッチが、前記補助Ｉ２Ｃバス部分を前記メインＩ２Ｃバス部分から選択的に切り離した時、前記プルアップ抵抗によって前記補助Ｉ２Ｃバス部分に増大電流が供給される、装置。
【請求項６】
請求項１記載の装置であって、
前記補助ＩＣが、Ｒ信号用、Ｇ信号用、および、Ｂ信号用の各駆動信号を生成する各ＩＣと、画像装置用の適正な光出力を生成するためのルックアップ・テーブルを格納するＩＣとから成る、装置。
【請求項７】
テレビジョン信号受信機であって、
メインＩ２Ｃバスと、
前記メインＩ２Ｃバスと通信を行うコントローラＩＣと、
前記メインＩ２Ｃバスに動作的に接続される第１の複数のＩ２Ｃ適合ＩＣと、
補助Ｉ２Ｃバスと、
前記補助Ｉ２Ｃバスに動作的に接続される第２の複数のＩ２Ｃ適合ＩＣと、
前記メインＩ２Ｃバスと前記補助Ｉ２Ｃバスとの間に配置され、前記コントローラＩＣと通信を行うスイッチと、から成り、
前記スイッチが、前記コントローラＩＣの制御の下で、前記第２の複数のＩ２Ｃ適合ＩＣのスタートアップ・モード時に、所定期間、前記補助Ｉ２Ｃバスを、従って、前記第２の複数のＩ２Ｃ適合ＩＣを前記メインＩ２Ｃバスから選択的に切り離し、前記第２の複数のＩ２Ｃ適合ＩＣが、前記補助Ｉ２Ｃバスを介して、第１のデータ転送速度で、互いに通信を行い、
前記スイッチが、前記コントローラＩＣの制御の下で、前記第２の複数のＩ２Ｃ適合ＩＣの動作モード期間中、前記補助Ｉ２Ｃバスを、従って、前記第２の複数のＩ２Ｃ適合ＩＣを前記メインＩ２Ｃバスに選択的に接続し、前記第２の複数のＩ２Ｃ適合ＩＣが、前記補助Ｉ２Ｃバスと前記メインＩ２Ｃバスとを介して、前記第１のデータ転送速度とは異なる第２のデータ転送速度で、前記コントローラＩＣと通信を行う、テレビジョン信号受信機。
【請求項８】
請求項７記載のテレビジョン信号受信機であって、
前記第２の複数のＩ２Ｃ適合ＩＣが、Ｒ信号用、Ｇ信号用、および、Ｂ信号用の各駆動信号を生成する各ＩＣと、画像装置用の適正な光出力を生成するためのルックアップ・テーブルを格納するＩＣとから成る、テレビジョン信号受信機。
【請求項９】
請求項７記載のテレビジョン信号受信機であって、
前記第２のデータ転送速度が前記第１のデータ転送速度よりも高速である、テレビジョン信号受信機。
【請求項１０】
請求項７記載のテレビジョン信号受信機であって、
前記スイッチが集積回路スイッチから成る、テレビジョン信号受信機。
【請求項１１】
請求項７記載のテレビジョン信号受信機であって、
前記スイッチによる前記補助Ｉ２Ｃバスの切り離しが、前記スイッチ用の第１のモードで行われ、
前記スイッチが、前記マスタＩＣの制御の下で第２のモードを呈し、この第２のモードで、前記補助Ｉ２Ｃバスが前記メインＩ２Ｃバスの一部になる、テレビジョン信号受信機。
【請求項１２】
請求項７記載のテレビジョン信号受信機であって、
１対のプルアップ抵抗を更に含み、
前記スイッチが、前記補助Ｉ２Ｃバスを前記メインＩ２Ｃバスから選択的に切り離した時、前記プルアップ抵抗によって前記補助Ｉ２Ｃバスに増大電流が供給される、テレビジョン信号受信機。
【請求項１３】
Ｉ２Ｃバス・システムを有するビデオ信号処理装置の動作を制御する方法であって、
コントローラＩＣに接続されており、メイン・データ・ラインおよびメイン・クロック・ラインを有するメインＩ２Ｃバス部分と、複数の補助ＩＣに接続されており、補助データ・ラインおよび補助クロック・ラインを有する補助Ｉ２Ｃバス部分との間にスイッチを設けるステップと、
前記装置の第１の動作モード期間中、第１の制御信号を前記スイッチに供給して、前記スイッチが前記補助Ｉ２Ｃバス部分を前記メインＩ２Ｃバス部分から切り離す、ようにし、前記第１の動作モード期間中、前記補助ＩＣが第１のデータ転送速度で互いに通信を行えるようにするステップと、
前記装置の第２の動作モード期間中、第２の制御信号を前記スイッチに供給して、前記スイッチが前記補助Ｉ２Ｃバス部分を前記メインＩ２Ｃバス部分に接続する、ようにし、前記第２の動作モード期間中、前記補助ＩＣが前記第１のデータ転送速度とは異なる第２のデータ転送速度で前記コントローラＩＣと通信を行う、ようにするステップと、から成る方法。
【請求項１４】
請求項１３記載の方法であって、更に、
前記スイッチが前記第１の動作モードで動作する場合、所定期間、前記スイッチを前記第１の動作モードに維持するステップと、
前記所定期間終了後に、前記スイッチが前記第２の動作モードで動作する、ようにするステップと、を含む方法。
【請求項１５】
請求項１３記載の方法であって、
前記第１および第２の制御信号を供給する前記ステップが、前記メインＩ２Ｃバス部分と通信を行うコントローラＩＣが前記制御信号を生成する、ようにするステップを含む、方法。
【請求項１６】
請求項１５記載の方法であって、
前記コントローラＩＣが、前記メインＩ２Ｃバス部分のパワー・アップ時に、前記制御信号を生成する、方法。
【請求項１７】
請求項１５記載の方法であって、更に、
前記第１の動作モード期間中、画像装置の各ピクセル用の適正光出力を生成するためのルックアップ・テーブルからデータを前記補助ＩＣにロードするステップと、
前記第２の動作モード期間中、前記補助ＩＣを使用して、Ｒ信号、Ｇ信号、および、Ｂ信号を生成するステップと、を含む方法。
【請求項１８】
請求項１３記載の方法であって、
前記第１のデータ転送速度が、前記第２のデータ転送速度より高速である、方法。
【請求項１９】
請求項１３記載の方法であって、更に、
前記第１の動作モード期間中に前記補助Ｉ２Ｃバス部分への電流を増大するステップを含む方法。
【請求項２０】
請求項１９記載の方法であって、
前記第１の動作モード期間中に前記補助Ｉ２Ｃバス部分への電流を増大する前記ステップが、電源に接続された抵抗を前記補助データ・ラインと前記補助クロック・ラインとに施すステップを含む、方法。
【国際調査報告】
2004516576.tif 000032
2004516576.tif 000033
2004516576.tif 000034